(57)【要約】【課題】示幕の折り返し途中での意図しない電源オフによる表示幕の巻き取り停止に対し、簡素な構成で対処することができる幕式表示装置を提供する。【解決手段】表示幕７に印された折り返しマークＭｂの更に奥の位置に、表示幕７の終端を指示する幕終了マークＭｃを設ける。そして、幕式表示装置の電源オフ時に折り返しマークＭｂがマーク検出センサをオーバーランして表示幕７が停止しても、電源再投入後は幕終了マークＭｃを検出させることにより、表示幕７の正常な巻き取り動作を確保する。【選択図】図６
2010145642.tif 000002
【特許請求の範囲】
【請求項１】
複数の表示物が巻き取り方向に表示された帯状の表示幕に、該表示幕の巻き取りの際の動作判断の目印としてマークが設けられ、前記マークを検出手段によって検出するとともに、この検出マークに応じた動作を巻き取りの駆動源にとらせることにより、前記表示幕を巻き取り又は折り返させて前記表示物の表示を行う幕式表示装置において、
前記マークの一種として前記表示幕の終端を通知すべく設けた幕終了マークと、
前記幕終了マークを検出した際、前記表示幕が終端に到達した際にとるべき動作を実行させる制御手段と
を備えたことを特徴とする幕式表示装置。
【請求項２】
前記制御手段は、前記幕終了マークを検出した際、前記表示幕を直ちに折り返す動作を実行することを特徴とする請求項１に記載の幕式表示装置。
【請求項３】
前記検出手段は、光学センサであることを特徴とする請求項１又は２に記載の幕式表示装置。
【請求項４】
前記マークは、マーク周囲に対して異なる色が一帯に色付けされた一帯色付き部であることを特徴とする請求項３に記載の幕式表示装置。
【請求項５】
前記表示幕は、１つひとつの表示物を構成する単位表示幕を帯状に連結することにより形成され、前記マークは、隣同士に位置する前記単位表示幕を貼り合わせたその重ね合わせ部分に配置されていることを特徴とする請求項３又は４に記載の幕式表示装置。
【請求項６】
前記表示幕においてその巻き取り前後で連続する前記表示物のうち一方を装置前面で表示し、他方を装置後面で表示する両面表示式であることを特徴とする請求項１〜４のうちいずれか一項に記載の幕式表示装置。
【請求項７】
前記検出手段は、装置本体の側部に取り付けられ、前記マークの通過を当該側部において検出することを特徴とする請求項１〜６のうちいずれか一項に記載の幕式表示装置。
【請求項８】
前記表示幕の裏面側には、当該表示幕を裏面側から照明する照明部が設けられていることを特徴とする請求項１〜７のうちいずれか一項に記載の幕式表示装置。
【請求項９】
前記マークは、隣同士に位置する単位表示幕の間に配置されていることを特徴する請求項１〜８のうちいずれか一項に記載の幕式表示装置。
【発明の詳細な説明】
【技術分野】
【０００１】
本発明は、複数の表示物が載せられた帯状の表示幕を巻き取り又は折り返しすることにより所定表示物を表示する幕式表示装置に関する。
【背景技術】
【０００２】
従来、複数の広告が印刷された表示幕を例えばモータ等で巻き取ることによって所定の１広告を表示することにより、周囲に対して広告表示を行う幕式表示装置がある。この種の幕式表示装置は、表示幕を１枚ずつ巻き取って所定位置で停止させ、止まった表示幕を再度巻き取るという動作を繰り返すことにより広告表示を実行する。この種の幕式表示装置においては、表字幕を一時停止させたり或いは巻き取りを折り返しさせたりするための特別な機構が必要である。そこで、表字幕の各表示物に一時停止マークや折り返しマークを印刷し、これらマークの検出に基づき一時停止動作や折り返し動作を実行させる技術（例えば、特許文献１等参照）が開示されている。
【特許文献１】特公昭６２−３９７９８号公報
【発明の開示】
【発明が解決しようとする課題】
【０００３】
ところで、表示幕の折り返し動作では、表示幕が折り返しマークの検出位置で直ちに停止する訳ではなく、例えばモータの惰性等により折り返しマークの検出位置から表示幕が奥にオーバーランした後に停止し、その後に表示幕が逆方向に巻き取られる動作が開始される現状がある。このため、例えば表示幕が折り返し動作を行っている最中に、幕式表示装置の電源スイッチがオフ操作されたり、或いは幕式表示装置の電源ケーブルが商用電源等の電源プラグから抜かれたりすると、表示幕は折り返しマークよりも奥に位置した地点で停止してしまう状態をとることがある。
【０００４】
ところで、この種の幕式表示装置では、例えば部品点数削減や部品コスト抑制等の目的から、表示幕の幕送りを管理するコンピュータからメモリ（EEPROM等）をできる限り減らしたい要望がある。よって、このような搭載メモリ個数の削減に伴い、幕式表示装置の動作状態をメモリに逐次保持する動作をとることができない場合には、表示幕の折り返し動作の途中で急に電源オフされた後の電源再投入の際、コンピュータはそのときにとるべき動作を認識することができない状態に陥る。このため、場合によっては、幕式表示装置が表示幕を正規方向とは逆方向に巻き取る動作をとることも想定されるので、何らかの対応策が要望されていた。
【０００５】
本発明の目的は、表示幕の折り返し途中での意図しない電源オフによる表示幕の巻き取り停止に対し、簡素な構成で対処することができる幕式表示装置を提供することにある。
【課題を解決するための手段】
【０００６】
前記問題点を解決するために、本発明では、複数の表示物が巻き取り方向に表示された帯状の表示幕に、該表示幕の巻き取りの際の動作判断の目印としてマークが設けられ、前記マークを検出手段によって検出するとともに、この検出マークに応じた動作を巻き取りの駆動源にとらせることにより、前記表示幕を巻き取り又は折り返させて前記表示物の表示を行う幕式表示装置において、前記マークの一種として前記表示幕の終端を通知すべく設けた幕終了マークと、前記幕終了マークを検出した際、前記表示幕が終端に到達した際にとるべき動作を実行させる制御手段とを備えたことを要旨とする。
【０００７】
この構成によれば、幕式表示装置が電源オフされた際、場合によっては表示幕の折り返しを指示する折り返しマークが検出手段から更に奥にまでオーバーランした位置で表示幕が停止することがある。この状況下で幕式表示装置に電源を再投入した際、本例においては折り返しマークよりも更に奥に印される幕終了マークを検出手段が検出するので、電源オフ時に折り返しマークが検出手段に対してオーバーランする位置で表示幕が停止しても、この状況下での電源再投入時おいて表示幕がとるべき動作を、幕終了マークによって把握することが可能となる。このため、電源オフ時に表示幕がオーバーランして停止する状態をとっても、これに対処可能となる。よって、表示幕の巻き取り動作を信頼性の高いものとすることが可能となり、例えば表示幕が巻き取り過ぎられて軸から外れてしまう状況を生じ難くすることが可能となる。また、本構成では、幕終了マークというマーク部位を検出するという簡素な構成で、折り返しマークのオーバーラン停止を原因とする再電源投入時における幕の異常巻き取りを発生し難くすることが可能となる。
【０００８】
本発明では、前記制御手段は、前記幕終了マークを検出した際、前記表示幕を直ちに折り返す動作を実行することを要旨とする。
この構成によれば、幕終了マークが検出手段により検出された際には、表示幕が直ぐに折り返される動作がとられるので、時間を無駄に消費することなく、折り返しの表示を実行することが可能となる。
【０００９】
本発明では、前記検出手段は、光学センサであることを要旨とする。
この構成によれば、光学センサという安価なセンサによって、マーク検出を実行することが可能となる。
【００１０】
本発明では、前記マークは、マーク周囲に対して異なる色が一帯に色付けされた一帯色付き部であることを要旨とする。
この構成によれば、検出手段がマークとして一帯色付き部を検出した際には、その検出の間、例えば電圧検出信号として一定値をとり続け、マーク種類によってこのときの時間幅が異なることから、この時間幅を見ることによりマーク種類が識別される。よって、検出マークの時間長を見るという簡単な検出方式により、マークの種類を識別することが可能となる。
【００１１】
本発明では、前記表示幕は、１つひとつの表示物を構成する単位表示幕を帯状に連結することにより形成され、前記マークは、隣同士に位置する前記単位表示幕を貼り合わせたその重ね合わせ部分に配置されていることを要旨とする。
【００１２】
この構成によれば、単位表示幕を重ね合わせた部分は幕が２枚存在するので、幕を重ね合わせていない周囲の１枚の部分に比べて、幕重ね合わせ部分は光の遮断効果が高くなる。よって、この幕重ね合わせ部分にマークを配置すれば、マークとその周り部分との光透過率を大きく異ならせることが可能となるので、マークからの透過光をより少なくすることが可能となり、その分だけマークの検出精度を高いものとすることが可能となる。
【００１３】
本発明では、前記表示幕においてその巻き取り前後で連続する前記表示物のうち一方を装置前面で表示し、他方を装置後面で表示する両面表示式であることを要旨とする。
この構成によれば、表示物を前面及び後面の両方で表示する両面表示式であるので、本構成の表示装置を宣伝用に使用すれば、より広告度の高い宣伝表示を行うことが可能となる。
【００１４】
本発明では、前記検出手段は、装置本体の側部に取り付けられ、前記マークの通過を当該側部において検出することを要旨とする。
この構成によれば、検出手段を装置本体の側部に配置するので、前面や後面で表示を実行する表示幕に対して検出手段が邪魔にならない。
【００１５】
本発明では、前記表示幕の裏面側には、当該表示幕を裏面側から照明する照明部が設けられていることを要旨とする。
この構成によれば、表示幕を裏面側から照明可能となるので、装置周囲が暗くても表示幕を視認可能とすることが可能となる。
【００１６】
本発明では、前記マークは、隣同士に位置する単位表示幕の間に配置されていることを要旨とする。
この構成によれば、例えば幕式表示装置を両面表示式とした際、前面及び後面の両方に表示物を常時表示させた状態で、表示幕の巻き取りや折り返し等の各種動作を実行することが可能となる。
【発明の効果】
【００１７】
本発明によれば、表示幕の折り返し途中での意図しない電源オフによる表示幕の巻き取り停止に対し、簡素な構成で対処することができる。
【発明を実施するための最良の形態】
【００１８】
以下、本発明を具体化した幕式表示装置の一実施形態を図１〜図１２に従って説明する。
図１及び図２に示すように、幕式表示装置（幕式看板）１において装置本体２の前面には、装置本体２の前面蓋として前面フレーム３が着脱可能に取り付けられている。一方、装置本体２の後面にも、前面と同様のフレームとして後面フレーム４が着脱可能に取り付けられている。これらフレーム３，４は、上下左右の４辺の縁を除いた部分が刳り抜かれた形状をとり、この刳り抜き部分である枠部５に嵌め込まれた透明板６から幕式表示装置１の広告として表示幕７（図２参照）が外部に露出する。即ち、本例の幕式表示装置１は、装置本体２の前面及び後面の両方において表示幕７の広告を表示可能な両面表示式となっている。
【００１９】
図２に示すように、前面フレーム３において内面の上部には、装置本体２側に飛び出す一対の係止片８，８が設けられている。また、装置本体２の内部前面においてその上部には、前面フレーム３の係止片８，８の係止先として一対の被係止片９，９が設けられている。前面フレーム３は、自身の係止片８，８を装置本体２の被係止片９，９に引っ掛けることにより、装置本体２に組み付け可能となっている。なお、後面フレーム４も前面フレーム３と同様の組み付け構造によって装置本体２に組み付けられているが、この構造は前面と同じであるので、説明は省略する。
【００２０】
図３及び図４に示すように、装置本体２の内部には、表示幕７の各々の終端の巻き付け先として一対の巻き取り軸１０，１１が回動可能に取り付けられている。表示幕７は、これら巻き取り軸１０，１１に対して幕を外側から内側に向かって巻く方向、即ち内巻き方向で巻かれている。また、表示幕７の巻き取り経路上には、表示幕７を裏面側から押してこれを張設する一対の保持用軸１２，１３が回動可能に取り付けられている。これら軸１０〜１３は、長細い円柱形状をとるとともに、回動軸心が装置本体２の高さ方向（図３及び図４の矢印Ｚ方向）に沿う向き、即ち縦向きに取り付けられている。また、巻き取り軸１０，１１は、装置本体２の幅方向（図３及び図４の矢印Ｙ方向）において同じ側の端部に配置され、しかもこの幅方向において同じ位置に並んだ状態で配置されている。なお、本例は、前面側巻き取り軸を１０とし、後面側巻き取り軸を１１とする。
【００２１】
一方、保持用軸１２，１３は、装置本体２の幅方向において巻き取り軸１０，１１と反対側の端部に配置されている。保持用軸１２，１３は、巻き取り軸１０，１１と平行する向きに取り付けられ、装置本体２の幅方向において同じ位置に並んだ状態で配置されている。なお、本例は、前面側保持用軸を１２とし、後面側保持用軸を１３とする。これら保持用軸１２，１３は、装置本体２の奥行き方向（図３及び図４の矢印Ｘ方向）において、前面側保持用軸１２が前面側巻き取り軸１０と同じ位置に並び、後面側保持用軸１３が後面側巻き取り軸１１と同じ位置に並んでいる。軸１０〜１３は、図４に示すように、平面視において装置本体２の４隅に位置する配置状態をとっている。
【００２２】
図３に示すように、巻き取り軸１０，１１の各々の下方位置には、これら巻き取り軸１０，１１の各々の回動駆動源としてモータ１４，１５（図３では、モータ１５は省略）が取り付けられている。即ち、巻き取り軸１０，１１は表示幕７の巻き取り時における駆動軸として働き、保持用軸１２，１３はこれに連れ回りする従動軸として働く。なお、本例は、前面側モータを１４とし、後面側モータを１５とする。これらモータ１４，１５は、それぞれ複数のギア及びタイミングベルト（図示略）を介して巻き取り軸１０，１１に連結されている。また、モータ１４，１５は、ＡＣモータが使用されるとともに、装置本体２に対して縦向きに取り付けられている。本例の場合、前面側モータ１４が停止状態のままで後面側モータ１５が駆動状態（例えば、正転）をとると、表示幕７が一方向（図３のＫ１方向）に巻き取られ、後面側モータ１５が停止状態のままで前面側モータ１４が駆動状態（例えば、逆転）をとると、表示幕７が他方向（図３のＫ２方向）に巻き取られる。なお、モータ１４，１５が駆動源に相当する。
【００２３】
図５に示すように、これら軸１０〜１３において各々の軸本体１６の上端には、この軸上端における装置本体２への軸支箇所としてストッパ部１７が設けられている。このストッパ部１７は、バネ等の付勢部材１８によって飛び出す側に常時付勢されつつ、抜け止めが施された状態で軸本体１６に取り付けられている。これら軸１０〜１３は、軸本体１６の下端に形成された下端軸部１９を装置本体２の下部軸支穴２０に挿し込みつつ、ストッパ部１７の先端を装置本体２の上部軸支穴２１に挿し込むことにより取り付けられている。軸１０〜１３を装置本体２から取り外す際には、軸本体１６を付勢部材１８の付勢力に抗して持ち上げることにより下端軸部１９を下部軸支穴２０から外し、この状態を以てストッパ部１７を上部軸支穴２１から抜くことにより行う。
【００２４】
図３及び図４に示すように、装置本体２の内部において表示幕７の内側には、光透過部材からなるこの表示幕７を裏面側から照明する照明部２２が設けられている。本例の照明部２２は、例えば蛍光灯が使用されるとともに、この蛍光灯を縦向きに２本配置した構成がとられている。この照明部２２が点灯状態をとると、表示幕７が裏面側から明るく照らし出される状態をとり、幕式表示装置１の周囲が暗い場合であっても、表示幕７の広告が視覚可能となる。
【００２５】
図１に示すように、装置本体２の下部位置には、後面フレーム４の下部に配設された横開きの開閉扉２３を開けた位置に、幕式表示装置１の操作系として各種スイッチ２４〜２７及びダイヤル２８が設けられている。これらスイッチ２４〜２７は、幕式表示装置１の主電源のオンオフを切り換える際に操作する電源スイッチ２４、表示幕７の巻き取りを手動操作する際に操作する手動幕送りスイッチ２５、照明部２２の電源をオンオフする際に操作する照明スイッチ２６、表示幕７の自動送りの運転／停止を操作する自動幕送りスイッチ２７からなる。また、ダイヤル２８は、表示幕７の停止時間を手動で調整可能な停止時間設定ダイヤル２８からなる。これらスイッチ２４〜２７及びダイヤル２８による幕式表示装置１の設定操作（動作切り換え操作）は、装置本体２の底面から延びる電源ケーブル２９を、商用電源等の電源プラグ（図示略）に挿し込んで、幕式表示装置１が商用電源の電力を得ている際に可能となっている。
【００２６】
図６及び図７に示すように、表示幕７は、１つひとつが１広告物（広告単位）をなす略四角形状の単位表示幕Ｓを複数枚（本例は１０コマ）順番に貼り合わせることにより、一枚の長い帯として形成されている。これら単位表示幕Ｓ，Ｓ…は、前面フレーム３及び後面フレーム４の透明板６の大きさに合わせた広告（文字、絵柄等）が印刷され、各々の端縁をテープ（接着剤）等で接着することにより１枚に連結されている。表示幕７は、連続する２コマの単位表示幕Ｓ，Ｓが前面フレーム３の前面透明板６ａと後面フレーム４の後面透明板６ｂとから広告として表示される。そして、モータ１４，１５により表示幕７を巻き取って透明板６ａ，６ｂに位置する単位表示幕Ｓ，Ｓを切り換えることにより、これら透明板６ａ，６ｂで表示される広告内容が変更される。
【００２７】
また、表示幕７の下端位置には、表示幕７の巻き取り時における動作判断の目印として各種マークが設けられている。本例の場合、複数の単位表示幕Ｓ，Ｓ…のうち最も端から１つ手前の幕間に位置する幕同士の境目、即ち２コマ目単位表示幕Ｓ２及び９コマ目単位表示幕Ｓ９の間の各幕同士の境目には、巻き取り動作の一時停止を指示する一時停止マークＭａが印されている。本例の一時停止マークＭａは、例えば表示幕７の幕材に黒色をベタ印刷することによって形成され、巻き取り方向の幅間隔Ｌａが例えば２５mmに設定されている。また、一時停止マークＭａは、隣同士の単位表示幕Ｓを連結するときのその重ね合わせ部分３０（図７参照）に配置されている。
【００２８】
更に、複数の単位表示幕Ｓ，Ｓ…のうち最も端の幕とその１つ手前の幕との間には、表示幕７の巻き取りに折り返し動作を指示する折り返しマークＭｂが印されている。本例の折り返しマークＭｂは、１コマ目単位表示幕Ｓ１及び２コマ目単位表示幕Ｓ２の間の境目と、９コマ目単位表示幕Ｓ９及び１０コマ目単位表示幕Ｓ１０の境目とに印されている。この折り返しマークＭｂも、例えば表示幕７の幕材に黒色をベタ印刷することによって形成され、巻き取り方向の幅間隔Ｌｂが例えば１５０mm（Ｌｂ＞Ｌａ）に設定されている。また、２コマ目単位表示幕Ｓ２の折り返しマークＭｂは、２コマ目単位表示幕Ｓ２をその隣の１コマ目単位表示幕Ｓ１に連結するときのその重ね合わせ部分３０に配置されている。
【００２９】
また、複数の単位表示幕Ｓ，Ｓ…のうち最も端の幕には、表示幕７が終端に到達していることを指示する幕終了マークＭｃが印されている。本例の場合、幕終了マークＭｃは、１コマ目単位表示幕Ｓ１と１０コマ目単位表示幕Ｓ１０とに印され、隣に位置するマークである折り返しマークＭｂから所定間隔（例えば、約５０mm）を開けて配置されている。また、この幕終了マークＭｃも、例えば表示幕７の幕材に黒色をベタ印刷することによって形成され、巻き取り方向の幅間隔Ｌｃが例えば７５mm（Ｌａ＜Ｌｃ＜Ｌｂ）に設定されている。なお、マークＭａ〜Ｍｃがマーク（一帯色付き部）を構成する。
【００３０】
図３及び図４に示すように、装置本体２の内部においてマークＭａ〜Ｍｃの通過経路の対向位置には、マークＭａ〜Ｍｃを検出可能なマーク検出センサ３１が設けられている。マーク検出センサ３１は、装置本体２の内面側壁において保持用軸１２，１３の中間位置に配置されるとともに、黒色印刷から形成される各種マークＭａ〜Ｍｃを検出すべく例えば光透過型センサが使用されている。マーク検出センサ３１は、一定の透過率を持つ光を受け付けたときに一定値をとる電圧検出信号を出力し、この一定値の時間幅がマーク印刷部分の黒色を検出する時間に相当している。なお、マーク検出センサ３１が検出手段に相当する。
【００３１】
図８に示すように、幕式表示装置１には、この幕式表示装置１のコントロールユニットとして制御装置３２が設けられている。この制御装置３２には、同制御装置３２を統括制御するＣＰＵ（Central Processing Unit）３３や、表示幕７の巻き取りの制御プログラムが記憶されたＲＯＭ（Read Only Memory）３４等が設けられている。ＣＰＵ３３は、Ａ／Ｄ変換等の信号値変換を行うセンサ検出回路３５を介してマーク検出センサ３１に接続されるとともに、ＣＰＵ３３からの指令信号をモータ駆動用の電圧に変換するモータ駆動回路３６を介してモータ１４，１５に接続されている。ＣＰＵ３３は、モータ１４，１５のうち巻き取り側のものを定速回転させて表示幕７の巻き取り動作を実行する。また、これら回路素子群は、表示幕７の下方に収納された横向き配置の基板３７（図３参照）に実装されている。
【００３２】
図９に示すように、制御装置３２には、マーク検出センサ３１で一時停止マークＭａを検出する度に、表示幕７を一時停止させつつ停止から規定時間経過後に表示幕７を再度巻き取らせる一時停止送り部３８が設けられている。また、制御装置３２には、マーク検出センサ３１で折り返しマークＭｂを検出した際に、表示幕７を規定時間停止させた後、それまでとは逆方向に表示幕７を巻き取ることにより表示幕７を折り返させる表示幕折返部３９が設けられている。更に、制御装置３２には、マーク検出センサ３１で幕終了マークＭｃを検出した際に、それまでとは逆方向に表示幕７を直ちに巻き取って、表示幕７を直ぐに折り返させる幕終了処理部４０が設けられている。なお、幕終了処理部４０が制御手段に相当する。
【００３３】
次に、本例の幕式表示装置１において表示幕７を巻き取る際の動作を説明する。
幕式表示装置１の動作中に、例えば電源スイッチ２４がオンからオフに操作されたり、或いは電源ケーブル２９が電源プラグから抜かれたりするなどして、幕式表示装置１が電源オフ状態になったとする。このように、幕式表示装置１がオフ状態になると、幕式表示装置１には電力が供給されない状態となるので、表示幕７が電源オフ時点での位置で停止するとともに、点灯していた照明部２２が消灯する。この電源オフ状態から、電源スイッチ２４が再びオン操作されたり、或いは電源ケーブル２９が電源プラグに再度挿し込まれたりして、幕式表示装置１が電源オン状態に再度切り換わると、幕式表示装置１に電力が再供給され、照明部２２が再点灯するとともに、表示幕７の巻き取りが再実行される。
【００３４】
ここで、幕式表示装置１が電源投入されたときにとる規定の幕巻き取り方向を例えば矢印Ｋ１方向とすると、電源オフ後の電源再投入の際には、この矢印Ｋ１方向に表示幕７の巻き取りが開始される。このとき、例えば図６に示すように、２コマ目単位表示幕Ｓ２と９コマ目単位表示幕Ｓ９との間（以降、これを検出範囲Ｅａと記す）の所定位置をマーク検出センサ３１が検出していて、かつこのマーク検出センサ３１が一時停止マークＭａ及び折り返しマークＭｂの両方とも検出していないのであれば、表示幕７の巻き取り動作の過程でマーク検出センサ３１が各種マーク記号を検出する状態をとる。
【００３５】
ところで、制御装置３２（ＣＰＵ３３）は、マーク検出センサ３１でマーク記号を検出した際、このときのマーク検出時間Ｔｘがどの程度の時間をとるかを見ることによって、マーク種を識別する。例えば、図１０に示すように、マーク検出時間Ｔｘの比較値としては、マーク検出の際にマーク検出センサ３１がマーク検出し得る最低時間をＴ１とし、最高時間をＴ４とすると、Ｔ１〜Ｔ４間の時間領域を３つの領域に区切り、時間Ｔ１〜Ｔ２を一時停止マークＭａの検出時間幅とし、時間Ｔ２〜Ｔ３を幕終了マークＭｃの検出時間幅とし、時間Ｔ３〜Ｔ４を折り返しマークＭｂの検出時間幅としている。そして、制御装置３２は、マーク検出時間Ｔｘがどの時間幅をとるのかを見ることにより、検出マークがどの種であるのかを識別する。
【００３６】
前述した電源再投入時における表示幕７の巻き取り動作の際、一時停止マークＭａがマーク検出センサ３１を通過すると、マーク検出時間ＴｘがＴ１〜Ｔ２の間の時間をとる。一時停止送り部３８は、マーク検出時間ＴｘがＴ１〜Ｔ２の間の時間をとることを確認すると、マーク検出センサ３１を一時停止マークＭａが通過したと認識し、表示幕７の巻き取りを一時停止するとともに、規定時間経過後、巻き取りを再開し、次の一時停止マークＭａを探しに入る。そして、一時停止送り部３８は、一時停止マークＭａを検出する度に、この幕送り一時停止及び規定時間後の再開の動作を繰り返し実行する。
【００３７】
また、前述した電源再投入時における表示幕７の巻き取り動作の際、折り返しマークＭｂがマーク検出センサ３１を通過すると、マーク検出時間ＴｘがＴ３〜Ｔ４の間の時間をとる。表示幕折返部３９は、マーク検出時間ＴｘがＴ３〜Ｔ４の間の時間をとることを確認すると、マーク検出センサ３１を折り返しマークＭｂが通過したと認識し、表示幕７の巻き取りを一時停止するとともに、規定時間経過後、これまでの巻き取りとは逆方向である矢印Ｋ２方向に表示幕７を巻き取ることにより表示折り返しを実行し、表示幕７の表示を復動させる。なお、この表示折り返しの際、折り返しマークＭｂを再度検出することになるが、表示折り返し直後の１回目のマーク検出は無視するので、このときは折り返しマークＭｂの検出を見送り、幕送りを継続する。
【００３８】
更に、一時停止マークＭａや折り返しマークＭｂがマーク検出センサ３１を通過している最中に幕式表示装置１の電源が切られると、この後の電源再投入時は、マーク検出センサ３１がマーク上に位置した状態から起動することになる。このとき、マーク検出時間Ｔｘが時間Ｔ１〜Ｔ２を満たす値をとれば、このときの検出マークが一時停止マークＭａとして処理され、マーク検出時間Ｔｘが時間Ｔ３〜Ｔ４を満たす値をとれば、このときの検出マークが折り返しマークＭｂとして処理される。このため、マークＭａ，Ｍｂ上からの再起動も対応可能である。また、マーク検出時間Ｔｘが時間Ｔ１〜Ｔ２よりも短い検出幅をとるときには、これを無視して停止せずに見送り、幕送りが継続される。
【００３９】
ところで、表示幕７が矢印Ｋ１方向に巻き取られる巻き取り往路時、例えば９コマ目単位表示幕Ｓ９の折り返しマークＭｂがマーク検出センサ３１を通過する途中又は通過した後に、幕式表示装置１が電源オフされると、停止過程をとる際に折り返しマークＭｂがマーク検出センサ３１に対してオーバーランして、９コマ目単位表示幕Ｓ９の折り返しマークＭｂと１０コマ目単位表示幕Ｓ１０の幕終了マークＭｃの間の所定位置（図６の検出範囲Ｅｂ）がマーク検出センサ３１に向き合う位置状態で停止することも起こり得る。この状況下で電源が再投入されると、従来技術の場合には、表示幕７を矢印Ｋ１方向に更に巻き取ってしまい、表示幕７が巻き取り軸１０から全て巻き取られてしまうことになり、表示幕７が巻き取り軸１０から外れる問題が発生する。
【００４０】
しかし、本例の場合には、折り返しマークＭｂの更に先に幕終了マークＭｃが印されているので、電源再投入の際に表示幕７が矢印Ｋ１方向への巻き取りが再開されると、幕終了マークＭｃがマーク検出センサ３１を通過するので、次に行うべき動作が認識可能となる。この幕送りの際、幕終了マークＭｃがマーク検出センサ３１を通過すると、マーク検出時間ＴｘがＴ２〜Ｔ３の値をとる。幕終了処理部４０は、マーク検出時間ＴｘがＴ２〜Ｔ３の間の時間をとることを確認すると、マーク検出センサ３１を幕終了マークＭｃが通過したと認識し、このときは表示幕７を一時停止させずに、直ちに幕送りを折り返す幕終了折り返しを実行する。なお、この幕終了折り返し時には、幕終了マークＭｃ及び折り返しマークＭｂをマーク検出センサ３１で検出することになるが、この折り返し直後の２回のマーク検出は無効とするので、これらマーク検出が見送られて幕送りが継続される。
【００４１】
また、巻き取りの復路時に電源オフされた際、１コマ目単位表示幕Ｓ１の幕終了マークＭｃと２コマ目単位表示幕Ｓ２の折り返しマークＭｂとの間の所定位置（図６の検出範囲Ｅｃ）がマーク検出センサ３１に向き合う位置状態をとって停止することもある。この状況下から電源が再投入されると、電源投入時の最初の巻き取り方向は矢印Ｋ１方向と設定されているので、電源再投入時、まずは矢印Ｋ１方向に表示幕７の巻き取りが実行される。この巻き取り時、２コマ目単位表示幕Ｓ２の折り返しマークＭｂがマーク検出センサ３１を通過するので、このマーク検出により一定時間停止する処理を行った後、それまでとは逆方向の矢印Ｋ２方向に表示幕７の巻き取りが一旦切り換えられる。このとき、折り返しマークＭｂがマーク検出センサ３１を再度通過することになるが、このときは折り返し直後の検出であるので、このマーク検出を無視して幕送りを継続する。
【００４２】
この後、今度は１コマ目単位表示幕Ｓ１に印された幕終了マークＭｃがマーク検出センサ３１を通過する動作をとる。このため、マーク検出センサ３１が幕終了マークＭｃを検出したときにとる動作、即ちマーク検出後において幕送りを停止せずに、巻き取りを即時折り返す動作を実行する。この幕終了折り返しの後、幕終了マークＭｃ及び折り返しマークＭｂを検出するが、幕終了折り返し後の２回のマーク検出は無視されるので、一時停止マークＭａが検出されるまで幕送りが継続される。
【００４３】
次に、本例の幕式表示装置１の制御装置３２（ＣＰＵ３３）が実行する表示幕７の巻き取り動作を、図１１及び図１２のフローチャートに従って説明する。なお、同図のフローチャートは、電源スイッチ２４がオンされた際に常時実行されるものである。
【００４４】
ステップ１００では、表示幕７の巻き取り（表示）を往動させる際の駆動源である後面側モータ１５を駆動する。
ステップ１０１では、マーク検出センサ３１で各種マーク（マークＭａ〜Ｍｃ）を検出したか否かを判断する。このとき、マークＭａ〜Ｍｃを検出していればステップ１０２に移行し、マークＭａ〜Ｍｃを検出していなければステップ１００に戻る。
【００４５】
ステップ１０２では、自身の状態フラグに幕終了フラグが立っているか否かを確認する。この幕終了フラグは、表示幕７が終端に到達したことをＣＰＵ３３に指示するフラグであって、マーク検出センサ３１が幕終了マークＭｃを検出した際に立てられるものである。そして、状態フラグに幕終了フラグが立っていればステップ１０３に移行し、状態フラグに幕終了フラグが立っていなければステップ１０４に移行する。
【００４６】
ステップ１０３では、状態フラグを折り返しフラグに設定する。なお、この折り返しフラグは、ＣＰＵ３３に幕巻き取りの折り返しを指示するフラグである。そして、このフラグ設定後、ステップ１００に戻る。
【００４７】
ステップ１０４では、検出マークが幕終了マークＭｃであるか否かを判断する。このとき、検出マークが幕終了マークＭｃであればステップ１０５に移行し、検出マークが幕終了マークでなければステップ１０６に移行する。
【００４８】
ステップ１０５では、状態フラグを幕終了フラグに設定する。このフラグ設定後は、図１２に示すステップ１１５に移行する。
ステップ１０６では、自身の状態フラグに折り返しフラグが立っているか否かを確認する。このとき、状態フラグに折り返しフラグが立っていればステップ１０７に移行し、状態フラグに折り返しフラグが立っていなければステップ１０８に移行する。
【００４９】
ステップ１０７では、状態フラグを中間フラグに設定する。なお、この中間フラグは、マーク検出センサ３１の検出位置が検出範囲Ｅａの領域にあるときに立たせるフラグである。そして、このフラグ設定後、ステップ１００に戻る。
【００５０】
ステップ１０８では、検出マークが一時停止マークＭａであるか否かを判断する。このとき、検出マークが一時停止マークＭａであればステップ１０９に移行し、検出マークが一時停止マークＭａでなければステップ１１１に移行する。
【００５１】
ステップ１０９では、駆動中の後面側モータ１５を停止させ、表示幕７の巻き取りを一旦停止させる。
ステップ１１０では、ステップ１０９の一旦停止時間が規定時間を経過したか否かを判断する。このとき、一旦停止時間が規定時間以内であればこのステップで待機し、一旦停止時間が規定時間を超えればステップ１００に戻る。
【００５２】
ステップ１１１では、検出マークが折り返しマークＭｂであるか否かを判断する。このとき、検出マークが折り返しマークＭｂであればステップ１１２に移行する。一方、検出マークが折り返しマークでなければ、このときの検出物はゴミ等の異物として処理し、ステップ１００に戻る。
【００５３】
ステップ１１２では、駆動中の後面側モータ１５を停止させ、表示幕７の巻き取りを一旦停止させる。
ステップ１１３では、ステップ１１２の一旦停止時間が規定時間を経過したか否かを判断する。このとき、一旦停止時間が規定時間以内であればこのステップで待機し、一定時間が規定時間を超えればステップ１１４に移行する。
【００５４】
ステップ１１４では、状態フラグを折り返しフラグに設定する。
ステップ１１５では、表示幕７の巻き取り（表示）を復動させる際の駆動源である前面側モータ１４を駆動する。
【００５５】
ステップ１１６では、マーク検出センサ３１で各種マーク（マークＭａ〜Ｍｃ）を検出したか否かを判断する。このとき、マークＭａ〜Ｍｃを検出していればステップ１１７に移行し、マークＭａ〜Ｍｃを検出していなければステップ１１５に戻る。
【００５６】
ステップ１１７では、自身の状態フラグに幕終了フラグが立っているか否かを確認する。このとき、状態フラグに幕終了フラグが立っていればステップ１１８に移行し、状態フラグに幕終了フラグが立っていなければステップ１１９に移行する。
【００５７】
ステップ１１８では、状態フラグを折り返しフラグに設定する。そして、このフラグ設定後、ステップ１１５に戻る。
ステップ１１９では、検出マークが幕終了マークＭｃであるか否かを判断する。このとき、検出マークが幕終了マークＭｃであればステップ１２０に移行し、検出マークが幕終了マークでなければステップ１２１に移行する。
【００５８】
ステップ１２０では、状態フラグを幕終了フラグに設定する。このフラグ設定後は、図１１のステップ１００に復帰する。
ステップ１２１では、自身の状態フラグに折り返しフラグが立っているか否かを確認する。このとき、状態フラグに折り返しフラグが立っていればステップ１２２に移行し、状態フラグに折り返しフラグが立っていなければステップ１２３に移行する。
【００５９】
ステップ１２２では、状態フラグを中間フラグに設定する。このフラグ設定後は、ステップ１１５に復帰する。
ステップ１２３では、検出マークが一時停止マークＭａであるか否かを判断する。このとき、検出マークが一時停止マークＭａであればステップ１２４に移行し、検出マークが一時停止マークＭａでなければステップ１２６に移行する。
【００６０】
ステップ１２４では、駆動中の前面側モータ１４を停止させ、表示幕７の巻き取りを一旦停止させる。
ステップ１２５では、ステップ１２４の一旦停止時間が規定時間を経過したか否かを判断する。このとき、一旦停止時間が規定時間以内であればこのステップで待機し、一旦停止時間が規定時間を超えればステップ１１５に戻る。
【００６１】
ステップ１２６では、検出マークが折り返しマークＭｂであるか否かを判断する。このとき、検出マークが折り返しマークＭｂであればステップ１２７に移行する。一方、検出マークが折り返しマークでなければ、このときの検出物はゴミ等の異物として処理し、ステップ１１５に戻る。
【００６２】
ステップ１２７では、駆動中の前面側モータ１４を停止させ、表示幕７の巻き取りを一旦停止させる。
ステップ１２８では、ステップ１２７の一旦停止時間が規定時間を経過したか否かを判断する。このとき、一旦停止時間が規定時間以内であればこのステップで待機し、一旦停止時間が規定時間を超えればステップ１２９に移行する。
【００６３】
ステップ１２９では、状態フラグを折り返しフラグに設定する。
さて、本例においては、折り返しマークＭｂの更に奥の位置に幕終了マークＭｃを設けたので、幕式表示装置１が電源オフ状態とされた際に表示幕７が折り返しマークＭｂよりも更に奥で停止しても、電源再投入時には幕終了マークＭｃを読み取らせることにより、制御装置３２に巻き取り動作の指示を与えることが可能となる。このため、幕式表示装置１が電源オフ状態とされた際に表示幕７が折り返しマークＭｂよりも更に奥で停止しても、電源再投入時には表示幕７が正しく巻き取られることになるので、例えば表示幕７が異常巻き取りされて巻き取り軸１０，１１から外れてしまうなどの不具合を発生させずに済む。
【００６４】
本実施形態の構成によれば、以下に記載の効果を得ることができる。
（１）折り返しマークＭｂの更に奥の位置に幕終了マークＭｃを設け、幕式表示装置１の電源オフ時に折り返しマークＭｂがマーク検出センサ３１をオーバーランして表示幕７が停止しても、電源再投入後は幕終了マークＭｃを検出させることにより、表示幕７の正常な巻き取り動作を確保する。このため、電源オフ状態の際に折り返しマークＭｂがマーク検出センサ３１をオーバーランして表示幕７が停止しても、これに対処することができる。また、本例の場合は、幕終了マークＭｃという単なる柄を検出するという簡素な検出方式で、折り返しマークＭｂのオーバーランに対処することができる。
【００６５】
（２）マーク検出センサ３１で検出した検出マークの識別は、ベタ印刷部位からなるマークＭａ〜Ｍｃがマーク検出センサ３１を通過する際の通過時間を見ることにより実行される。よって、ベタ印刷部分の時間長を見るという簡素な検出方式で、マークＭａ〜Ｍｃの種類を識別することができ、ひいては制御装置３２に登録する巻き取り動作用の制御プログラムを簡素なものとすることもできる。また、本例のマーク検出方式を採用すれば、例えばもし仮に単位表示幕Ｓが増減されて幕の総数が変わっても、制御プログラムを変更することなく幕式表示装置１に正常な巻き取り動作をとらせることができる。
【００６６】
（３）巻き取り動作のフローチャートの早めの段階（図１１のステップ１０４）で、検出マークが幕終了マークＭｃであるか否かを見る判断を行うというように、幕終了マークＭｃの検出処理の優先度が高く設定される。このため、電源投入時において幕終了マークＭｃがマーク検出センサ３１を通過した際には、直ぐに幕終了折り返しが開始されるので、この折り返しを時間のロスなく実行することができる。
【００６７】
（４）１つのマーク検出センサ３１でマーク検出を行うので、少ない部品点数でマーク検出を実行することができる。
（５）ＣＰＵ３３が巻き取り動作実行の際の判断基準として使用するフラグとして、中間、折り返し、幕終了という記号的な特性値を用いて状態が設定される状態フラグを使用した。このため、中間、折り返し、幕終了の各々の状態毎に専用のフラグを用意する必要がないので、巻き取り動作の制御プログラムの簡素化を図ることができる。
【００６８】
（６）軸１０〜１３の片側の軸支箇所（挿込突）を付勢部材１８により動くストッパ部１７で構成したので、装置本体２への軸１０〜１３の取り付けや、装置本体２からの軸１０〜１３の取り外しを楽に行うことができる。
【００６９】
（７）マーク検出センサ３１が幕終了マークＭｃを検出した際に幕式表示装置１がとる動作を、表示幕７を一時停止させずに直ぐに折り返す動作とした。このため、幕折り返しの際に、時間を無駄に消費することなく、表示幕７の折り返し表示を直ちに実行することができる。
【００７０】
（８）マーク検出センサ３１として光透過型センサを用いたので、光学センサという安価なセンサによってマーク検出を実行することができる。
（９）単位表示幕Ｓ，Ｓ…を連結する際に貼り合わせたその重ね合わせ部分３０にマーク（本例は、全ての一時停止マークＭａと、片方の折り返しマークＭｂの一部分）を配置した。ところで、単位表示幕Ｓ，Ｓ…を重ね合わせた部分３０は幕が２枚存在するので、幕を重ね合わせていない周囲の１枚の部分に比べて、この重ね合わせ部分３０は光の遮断効果が高くなる。よって、この重ね合わせ部分３０にマークＭａ，Ｍｂを配置すれば、マークＭａ，Ｍｂとその周囲との光透過率を大きく異ならせることが可能となるので、マークＭａ，Ｍｂからの光透過率をより少なくすることが可能となる。このため、その分だけマークＭａ，Ｍｂの検出精度を高いものとすることができる。
【００７１】
（１０）装置本体２の前面及び後面の両面に広告表示面（透明板６ａ，６ｂ）を設けて幕式表示装置１を両面表示式としたので、前面及び後面の両面で広告表示がなされる。このため、前面及び後面のどちら側にいても広告が目に入るので、高い宣伝効果を得ることができる。
【００７２】
（１１）マーク検出センサ３１を装置本体２の側部に配置したので、前面及び後面を表示部分とする本例の幕式表示装置１においてマーク検出センサ３１が表示の邪魔になることがない。
【００７３】
（１２）巻き取り軸１０，１１の駆動源であるモータ１４，１５を表示幕７の下方位置に配置したので、これらモータ１４，１５と表示幕７とが重なり合わない。よって、照明部２２が点灯状態をとった際に、これらモータ１４，１５を表示幕７に映り込ませずに済む。
【００７４】
（１３）表示幕７の裏面側に照明部２２を設けたので、装置周囲が暗い状態であっても、表示幕７を視認可能とすることができる。
なお、実施形態はこれまでに述べた構成に限らず、以下の態様に変更してもよい。
【００７５】
・  各種マークＭａ〜Ｍｃは、帯材に直に印刷されるものに限定されず、どのような形状や色付け方法を採用してもよい。
・  マーク検出センサ３１は、必ずしも光透過型センサに限らず、例えば光反射型センサを使用してもよい。
【００７６】
・  表示幕７の位置検出機構は、光透過型や光反射型等を使用した光学式に限定されない。例えば、表示幕７に磁性体を埋め込み、これをホールＩＣやＭＲＥで検出する磁気式としてもよい。
【００７７】
・  モータ１４，１５は、必ずしもＡＣモータに限らず、ステッピングモータやブラシレスモータ等を使用してもよい。
・  表示幕７の巻き取り向きは、必ずしも左右方向に限らず、例えば上下方向としてもよい。
【００７８】
・  表示幕７の駆動は、タイミングベルト伝達式に限らず、モータ１４，１５の回転力が直に表示幕７に伝達される直駆動でもよい。
・  幕終了マークＭｃは、重なり合い部分３０に配置してもよい。
【００７９】
・  マークＭａ〜Ｍｃは、一帯色付き部に限らず、複数の線からなるもので、この線の数をカウントすることにより、マーク種類を識別するものでもよい。
・  一帯色付き部は、印刷ベタ部に限定されず、例えば黒色テープを幕材に貼り付けたものでもよい。
【００８０】
・  状態フラグを用いた際、中間、折り返し、幕終了を表す特性値として、例えば記号を使用してＡ，Ｂ，Ｃでもよいし、或いは数字を使用して１，２，３としてもよい。
・  マーク検出センサ３１の配置位置は、装置本体２の側部に限らず、前面や後面等の各位置に配置してもよい。
【００８１】
・  表示幕７は、複数の単位表示幕Ｓ，Ｓ…を１枚に連結したものに限らず、元から１枚となっているものでもよい。
・  マークＭａ〜Ｍｃの配置位置は、隣同士の各々の単位表示幕Ｓ，Ｓ…の間に限定されず、適宜変更してもよい。
【００８２】
・  幕式表示装置１は、必ずしも両面表示式（広告式）に限らず、片面のみで広告を表示する片面表示式でもよい。
次に、上記実施形態及び別例から把握できる技術的思想について、それらの効果とともに以下に追記する。
【００８３】
（１）請求項１〜９のいずれかにおいて、前記表示幕の巻き取り方向は、前記装置本体の幅方向（水平面に対して左右方向）となっている。この構成によれば、表示幕の巻き取り方向を装置本体の幅方向とするので、表示幕の巻き取り構造を、表示幕の巻き取り軸に大きな負荷がかからないものとすることが可能となる。
【図面の簡単な説明】
【００８４】
【図１】一実施形態において前面と後面とから見た幕式表示装置を示す斜視図。
【図２】前面フレームと装置本体との取り付け部分を示す部分拡大斜視図。
【図３】前面フレームを外した幕式表示装置の全体を示す斜視図。
【図４】幕式表示装置の内部構成を示す平断面図。
【図５】巻き取り軸及び保持用軸の装置本体への取り付け部分を示す斜視図。
【図６】複数の幕からなる帯状の表示幕の概略を示す概念図。
【図７】複数の幕からなる帯状の表示幕の構造を示す説明図。
【図８】幕式表示装置の電気的構成を示すブロック図。
【図９】幕式表示装置の機能をブロック図で示した機能ブロック図。
【図１０】マーク検出時間の比較値を説明するマップ。
【図１１】幕巻き取り動作時に実行されるフローチャート。
【図１２】図１１の続きを示したフローチャート。
【符号の説明】
【００８５】
１…幕式表示装置、２…装置本体、７…表示幕、１４，１５…駆動源としてのモータ、２２…照明部、３０…重ね合わせ部分、３１…検出手段としてのマーク検出センサ、４０…制御手段としての幕終了処理部、Ｍａ…マーク（一帯色付き部）を構成する一時停止マーク、Ｍｂ…マーク（一帯色付き部）を構成する折り返しマーク、Ｍｃ…マーク（一帯色付き部）を構成する幕終了マーク、Ｓ（Ｓ１〜Ｓ１０）…単位表示幕。
【図１】
2010145642.tif 000003
【図２】
2010145642.tif 000004
【図３】
2010145642.tif 000005
【図４】
2010145642.tif 000006
【図５】
2010145642.tif 000007
【図６】
2010145642.tif 000008
【図７】
2010145642.tif 000009
【図８】
2010145642.tif 000010
【図９】
2010145642.tif 000011
【図１０】
2010145642.tif 000012
【図１１】
2010145642.tif 000013
【図１２】
2010145642.tif 000014